(57)【要約】      （修正有）【課題】便利に固定できる自動車飾り用台座を提供する。【解決手段】本体と前記本体の中に設置される固定チャンバ４９を含み、前記固定チャンバ４９の中には固定装置が設置され、前記固定チャンバ４９の下方には切換チャンバが設置され、前記切換チャンバの左右端壁の中には第一伝動チャンバ４５が対称的に設置され、前記切換チャンバの左端壁の中にはスライドチャンバ３９が設置され、前記スライドチャンバ３９の下方には第二伝動チャンバ３３が設置され、本発明の設備が同一の動力源を利用し飾り物の固定を実現し、同時に当該動力源を利用し空気の加湿を実現し、設備が当該台座を利用し動力を自動的にロックし上記動力切換を実現し、設備の使用がより便利になる。【選択図】図１
2020172239.tif 000002
【特許請求の範囲】
【請求項１】
本体と前記本体の中に設置される固定チャンバを含み、前記固定チャンバの中には固定装置が設置され、前記固定チャンバの下方には切換チャンバが設置され、前記切換チャンバの左右端壁の中には第一伝動チャンバが対称的に設置され、前記切換チャンバの左端壁の中にはスライドチャンバが設置され、前記スライドチャンバの下方には第二伝動チャンバが設置され、前記スライドチャンバの中にはスライドブロックがスライドできるように設置され、前記スライドブロックの中には上下に貫通するねじ穴が設置され、前記ねじ穴の中にはねじボルトがネジ山により連結され、前記ねじボルトの頂部末端と前記スライドチャンバの頂壁の中に固定的に設置される第一モータとが動力が伝達できるように連結され、前記ねじボルトの底部末端が前記第二伝動チャンバの中に插入され、また前記ねじボルトの底部末端には第一傘歯車が固定的に設置され、前記スライドブロックの右側端壁の中には第二モータが固定的に設置され、前記第二モータの出力軸の右に伸びている末端には第一歯車が固定的に設置され、前記第二伝動チャンバの左側端壁の中にはロックチャンバが設置され、前記ロックチャンバの中にはロック装置が設置され、前記切換チャンバの右側端壁の中にはファンチャンバが設置され、前記ファンチャンバの中には加湿装置が設置され、前記ファンチャンバの左側端壁の中には外部を連通するエアーインレットが設置され、前記ファンチャンバの右側端壁の中には複数の組の排気穴が設置され、前記ファンチャンバの左側端壁の中にはカムチャンバが設置され、前記カムチャンバの頂壁の中にはピストンチャンバが設置され、前記ピストンチャンバの左側端壁の中には液体保存チャンバが設置され、前記固定装置、ロック装置及び加湿装置を協働し、飾り物のロックと空気の加湿を実現し、設備の使用がより快適で便利になることを特徴とする便利に固定できる自動車飾り用台座。
【請求項２】
前記固定装置は前記固定チャンバの頂壁の中に設置される固定穴を含み、前記固定チャンバの底壁の中には上方に開口した第一スライド穴が設置され、前記第一スライド穴の中には第一スライドバーがスライドできるように設置され、前記第一スライドバーと前記第一スライド穴の端壁との間には第一リセット装置が弾性的に設置され、前記第一スライドバーの頂部末端には固定ブロックが固定的に設置され、前記固定チャンバと前記第一伝動チャンバとの間には第一回転軸が回転できるように設置され、前記固定チャンバの中にある前記第一回転軸の末端には第一カムが固定的に設置され、前記第一伝動チャンバの中にある前記第一回転軸の末端には第二傘歯車が固定的に設置され、二つの前記第一伝動チャンバの間には前記切換チャンバを貫通する第二回転軸が回転できるように設置され、前記第一伝動チャンバの中にある前記第二回転軸の末端には第二傘歯車と噛合する第三傘歯車が固定的に設置され、前記切換チャンバの中にある前記第二回転軸の外表面には前記第一歯車と噛合する第二歯車が固定的に設置され、前記第一カムが半周に回転し飾り物の底部の固定盤を引っかかることを特徴とする請求項１に記載の便利に固定できる自動車飾り用台座。
【請求項３】
前記ロック装置は前記ロックチャンバと前記第二伝動チャンバとの間に回転できるように設置されるウォームを含み、前記第二伝動チャンバの中にある前記ウォームの末端には前記第一傘歯車と噛合する第四傘歯車が固定的に設置され、前記ウォームの前後両側には前記ウォームと噛合するウォームホイールが回転できるように設置され、前記ウォームホイールの頂壁にはヒンジ連結バーがヒンジにより連結され、前記ロックチャンバの前後端壁の中には液圧チャンバが対称的に設置され、前記液圧チャンバの中には液圧ブロックが設置され、前記液圧チャンバと前記ロックチャンバとの間には第二スライド穴が連通設置され、前記第二スライド穴の中には前記液圧ブロックと固定的に連結される第二スライドバーがスライドできるように設置され、前記第二スライドバーの末端と前記ヒンジ連結バーの末端とがヒンジにより連結され、前記液圧チャンバの端壁の中には外部を連通する弧形溝が設置され、前記弧形溝の中には弧形ロックバーがスライドできるように設置され、前記液圧ブロックが移動し前記弧形ロックバーをプッシュし向かい合って回転させ設備を二つのエアーアウトレットの間にロックすることを特徴とする請求項１に記載の便利に固定できる自動車飾り用台座。
【請求項４】
前記加湿装置は前記ファンチャンバと前記切換チャンバとの間に回転できるように設置される前記カムチャンバを貫通する第三回転軸を含み、前記切換チャンバの中にある前記第三回転軸の末端には第三歯車が固定的に設置され、前記ファンチャンバの中にある前記第三回転軸の末端にはファンが固定的に設置され、前記カムチャンバの中にある前記第三回転軸の外表面には第二カムが固定的に設置され、前記カムチャンバと前記ピストンチャンバとの間には第三スライド穴が連通設置され、前記第三スライド穴の中には前記ピストンチャンバの中にスライドできるように設置されるピストンと固定的に連結される第三スライドバーがスライドできるように設置され、前記第三スライドバーと前記第三スライド穴の端壁との間には左右に対称的な第二リセット装置が弾性的に設置され、前記ファンチャンバと前記液体保存チャンバとの間には前記ピストンチャンバを貫通する吸水タンポンが設置され、前記第二カムが回転し前記第三スライドバーを連動し上下に移動させ前記ピストンを連動し前記吸水タンポンを押圧し、これにより前記液体保存チャンバの中にある液体を前記ファンチャンバの中にプッシュし、前記ファンの作用により設備外に吹き出すことを特徴とする請求項１に記載の便利に固定できる自動車飾り用台座。
【発明の詳細な説明】
【技術分野】
【０００１】
本発明は自動車飾り分野を取り上げて、具体的には便利に固定できる自動車飾り用台座である。
【背景技術】
【０００２】
長時間車内にいるため、人々は自動車の表面と車内の美観を高めるため、いつも付属品を増加するが、伝統的な自動車飾りはしっかり取り付けられていないと車内にいる人を傷つけやすく、普通の自動車の中に長時間の加熱により空気が乾燥になりやすいため、便利に固定されると同時に加湿機構を持つ車両用飾り台座が必要となり、これにより上記の問題を解決できる。
【先行技術文献】
【特許文献】
【０００３】
【特許文献１】中国特許出願公開第１０７６９６７７４号明細書
【発明の概要】
【発明が解決しようとする課題】
【０００４】
本発明の目的は便利に固定できる自動車飾り用台座を提供し、上記の現在の技術中の問題を解決し、設備の実用性を高めるのである。
【課題を解決するための手段】
【０００５】
本発明の便利に固定できる自動車飾り用台座は、本体と前記本体の中に設置される固定チャンバを含み、前記固定チャンバの中には固定装置が設置され、前記固定チャンバの下方には切換チャンバが設置され、前記切換チャンバの左右端壁の中には第一伝動チャンバが対称的に設置され、前記切換チャンバの左端壁の中にはスライドチャンバが設置され、前記スライドチャンバの下方には第二伝動チャンバが設置され、前記スライドチャンバの中にはスライドブロックがスライドできるように設置され、前記スライドブロックの中には上下に貫通するねじ穴が設置され、前記ねじ穴の中にはねじボルトがネジ山により連結され、前記ねじボルトの頂部末端と前記スライドチャンバの頂壁の中に固定的に設置される第一モータとが動力が伝達できるように連結され、前記ねじボルトの底部末端が前記第二伝動チャンバの中に插入され、また前記ねじボルトの底部末端には第一傘歯車が固定的に設置され、前記スライドブロックの右側端壁の中には第二モータが固定的に設置され、前記第二モータの出力軸の右に伸びている末端には第一歯車が固定的に設置され、前記第二伝動チャンバの左側端壁の中にはロックチャンバが設置され、前記ロックチャンバの中にはロック装置が設置され、前記切換チャンバの右側端壁の中にはファンチャンバが設置され、前記ファンチャンバの中には加湿装置が設置され、前記ファンチャンバの左側端壁の中には外部を連通するエアーインレットが設置され、前記ファンチャンバの右側端壁の中には複数の組の排気穴が設置され、前記ファンチャンバの左側端壁の中にはカムチャンバが設置され、前記カムチャンバの頂壁の中にはピストンチャンバが設置され、前記ピストンチャンバの左側端壁の中には液体保存チャンバが設置され、前記固定装置、ロック装置及び加湿装置を協働し、飾り物のロックと空気の加湿を実現し、設備の使用がより快適で便利になる。
【０００６】
優選的には、前記固定装置は前記固定チャンバの頂壁の中に設置される固定穴を含み、前記固定チャンバの底壁の中には上方に開口した第一スライド穴が設置され、前記第一スライド穴の中には第一スライドバーがスライドできるように設置され、前記第一スライドバーと前記第一スライド穴の端壁との間には第一リセット装置が弾性的に設置され、前記第一スライドバーの頂部末端には固定ブロックが固定的に設置され、前記固定チャンバと前記第一伝動チャンバとの間には第一回転軸が回転できるように設置され、前記固定チャンバの中にある前記第一回転軸の末端には第一カムが固定的に設置され、前記第一伝動チャンバの中にある前記第一回転軸の末端には第二傘歯車が固定的に設置され、二つの前記第一伝動チャンバの間には前記切換チャンバを貫通する第二回転軸が回転できるように設置され、前記第一伝動チャンバの中にある前記第二回転軸の末端には第二傘歯車と噛合する第三傘歯車が固定的に設置され、前記切換チャンバの中にある前記第二回転軸の外表面には前記第一歯車と噛合する第二歯車が固定的に設置され、前記第一カムが半周に回転し飾り物の底部の固定盤を引っかかる。
【０００７】
優選的には、前記ロック装置は前記ロックチャンバと前記第二伝動チャンバとの間に回転できるように設置されるウォームを含み、前記第二伝動チャンバの中にある前記ウォームの末端には前記第一傘歯車と噛合する第四傘歯車が固定的に設置され、前記ウォームの前後両側には前記ウォームと噛合するウォームホイールが回転できるように設置され、前記ウォームホイールの頂壁にはヒンジ連結バーがヒンジにより連結され、前記ロックチャンバの前後端壁の中には液圧チャンバが対称的に設置され、前記液圧チャンバの中には液圧ブロックが設置され、前記液圧チャンバと前記ロックチャンバとの間には第二スライド穴が連通設置され、前記第二スライド穴の中には前記液圧ブロックと固定的に連結される第二スライドバーがスライドできるように設置され、前記第二スライドバーの末端と前記ヒンジ連結バーの末端とがヒンジにより連結され、前記液圧チャンバの端壁の中には外部を連通する弧形溝が設置され、前記弧形溝の中には弧形ロックバーがスライドできるように設置され、前記液圧ブロックが移動し前記弧形ロックバーをプッシュし向かい合って回転させ設備を二つのエアーアウトレットの間にロックする。
【０００８】
優選的には、前記加湿装置は前記ファンチャンバと前記切換チャンバとの間に回転できるように設置される前記カムチャンバを貫通する第三回転軸を含み、前記切換チャンバの中にある前記第三回転軸の末端には第三歯車が固定的に設置され、前記ファンチャンバの中にある前記第三回転軸の末端にはファンが固定的に設置され、前記カムチャンバの中にある前記第三回転軸の外表面には第二カムが固定的に設置され、前記カムチャンバと前記ピストンチャンバとの間には第三スライド穴が連通設置され、前記第三スライド穴の中には前記ピストンチャンバの中にスライドできるように設置されるピストンと固定的に連結される第三スライドバーがスライドできるように設置され、前記第三スライドバーと前記第三スライド穴の端壁との間には左右に対称的な第二リセット装置が弾性的に設置され、前記ファンチャンバと前記液体保存チャンバとの間には前記ピストンチャンバを貫通する吸水タンポンが設置され、前記第二カムが回転し前記第三スライドバーを連動し上下に移動させ前記ピストンを連動し前記吸水タンポンを押圧し、これにより前記液体保存チャンバの中にある液体を前記ファンチャンバの中にプッシュし、前記ファンの作用により設備外に吹き出す。
【発明の効果】
【０００９】
本発明の有益的な効果は：本発明の設備が同一の動力源を利用し飾り物の固定を実現し、同時に当該動力源を利用し空気の加湿を実現し、設備が当該台座を利用し動力を自動的にロックし上記動力切換を実現し、設備の使用がより便利になる。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の便利に固定できる自動車飾り用台座の全体構造概略図
【図２】図２は図１のＡ−Ａの構造概略図
【図３】図３は図１のＢの拡大構造概略図
【図４】図４は図１のＣ−Ｃの構造概略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１４】
図１−４に示すように、本発明の便利に固定できる自動車飾り用台座は、本体１０と前記本体１０の中に設置される固定チャンバ４９を含み、前記固定チャンバ４９の中には固定装置２００が設置され、前記固定チャンバ４９の下方には切換チャンバ３１が設置され、前記切換チャンバ３１の左右端壁の中には第一伝動チャンバ４５が対称的に設置され、前記切換チャンバ３１の左端壁の中にはスライドチャンバ３９が設置され、前記スライドチャンバ３９の下方には第二伝動チャンバ３３が設置され、前記スライドチャンバ３９の中にはスライドブロック４１がスライドできるように設置され、前記スライドブロック４１の中には上下に貫通するねじ穴４０が設置され、前記ねじ穴４０の中にはねじボルト３８がネジ山により連結され、前記ねじボルト３８の頂部末端と前記スライドチャンバ３９の頂壁の中に固定的に設置される第一モータ６０とが動力が伝達できるように連結され、前記ねじボルト３８の底部末端が前記第二伝動チャンバ３３の中に插入され、また前記ねじボルト３８の底部末端には第一傘歯車３２が固定的に設置され、前記スライドブロック４１の右側端壁の中には第二モータ１６が固定的に設置され、前記第二モータ１６の出力軸の右に伸びている末端には第一歯車１５が固定的に設置され、前記第二伝動チャンバ３３の左側端壁の中にはロックチャンバ３７が設置され、前記ロックチャンバ３７の中にはロック装置３００が設置され、前記切換チャンバ３１の右側端壁の中にはファンチャンバ２６が設置され、前記ファンチャンバ２６の中には加湿装置４００が設置され、前記ファンチャンバ２６の左側端壁の中には外部を連通するエアーインレット３５が設置され、前記ファンチャンバ２６の右側端壁の中には複数の組の排気穴２３が設置され、前記ファンチャンバ２６の左側端壁の中にはカムチャンバ２４が設置され、前記カムチャンバ２４の頂壁の中にはピストンチャンバ１８が設置され、前記ピストンチャンバ１８の左側端壁の中には液体保存チャンバ２８が設置され、前記固定装置２００、ロック装置３００及び加湿装置４００を協働し、飾り物のロックと空気の加湿を実現し、設備の使用がより快適で便利になる。
【００１５】
有益的には、前記固定装置２００は前記固定チャンバ４９の頂壁の中に設置される固定穴５０を含み、前記固定チャンバ４９の底壁の中には上方に開口した第一スライド穴１３が設置され、前記第一スライド穴１３の中には第一スライドバー１１がスライドできるように設置され、前記第一スライドバー１１と前記第一スライド穴１３の端壁との間には第一リセット装置１２が弾性的に設置され、前記第一スライドバー１１の頂部末端には固定ブロック４６が固定的に設置され、前記固定チャンバ４９と前記第一伝動チャンバ４５との間には第一回転軸４７が回転できるように設置され、前記固定チャンバ４９の中にある前記第一回転軸４７の末端には第一カム４８が固定的に設置され、前記第一伝動チャンバ４５の中にある前記第一回転軸４７の末端には第二傘歯車４４が固定的に設置され、二つの前記第一伝動チャンバ４５の間には前記切換チャンバ３１を貫通する第二回転軸４３が回転できるように設置され、前記第一伝動チャンバ４５の中にある前記第二回転軸４３の末端には第二傘歯車４４と噛合する第三傘歯車４２が固定的に設置され、前記切換チャンバ３１の中にある前記第二回転軸４３の外表面には前記第一歯車１５と噛合する第二歯車１４が固定的に設置され、前記第一カム４８が半周に回転し飾り物の底部の固定盤を引っかかる。
【００１６】
有益的には、前記ロック装置３００は前記ロックチャンバ３７と前記第二伝動チャンバ３３との間に回転できるように設置されるウォーム３６を含み、前記第二伝動チャンバ３３の中にある前記ウォーム３６の末端には前記第一傘歯車３２と噛合する第四傘歯車３４が固定的に設置され、前記ウォーム３６の前後両側には前記ウォーム３６と噛合するウォームホイール５５が回転できるように設置され、前記ウォームホイール５５の頂壁にはヒンジ連結バー５６がヒンジにより連結され、前記ロックチャンバ３７の前後端壁の中には液圧チャンバ５３が対称的に設置され、前記液圧チャンバ５３の中には液圧ブロック５４が設置され、前記液圧チャンバ５３と前記ロックチャンバ３７との間には第二スライド穴５８が連通設置され、前記第二スライド穴５８の中には前記液圧ブロック５４と固定的に連結される第二スライドバー５７がスライドできるように設置され、前記第二スライドバー５７の末端と前記ヒンジ連結バー５６の末端とがヒンジにより連結され、前記液圧チャンバ５３の端壁の中には外部を連通する弧形溝５２が設置され、前記弧形溝５２の中には弧形ロックバー５１がスライドできるように設置され、前記液圧ブロック５４が移動し前記弧形ロックバー５１をプッシュし向かい合って回転させ設備を二つのエアーアウトレットの間にロックする。
【００１７】
有益的には、前記加湿装置４００は前記ファンチャンバ２６と前記切換チャンバ３１との間に回転できるように設置される前記カムチャンバ２４を貫通する第三回転軸２９を含み、前記切換チャンバ３１の中にある前記第三回転軸２９の末端には第三歯車３０が固定的に設置され、前記ファンチャンバ２６の中にある前記第三回転軸２９の末端にはファン２５が固定的に設置され、前記カムチャンバ２４の中にある前記第三回転軸２９の外表面には第二カム２７が固定的に設置され、前記カムチャンバ２４と前記ピストンチャンバ１８との間には第三スライド穴２１が連通設置され、前記第三スライド穴２１の中には前記ピストンチャンバ１８の中にスライドできるように設置されるピストン１９と固定的に連結される第三スライドバー２２がスライドできるように設置され、前記第三スライドバー２２と前記第三スライド穴２１の端壁との間には左右に対称的な第二リセット装置２０が弾性的に設置され、前記ファンチャンバ２６と前記液体保存チャンバ２８との間には前記ピストンチャンバ１８を貫通する吸水タンポン１７が設置され、前記第二カム２７が回転し前記第三スライドバー２２を連動し上下に移動させ前記ピストン１９を連動し前記吸水タンポン１７を押圧し、これにより前記液体保存チャンバ２８の中にある液体を前記ファンチャンバ２６の中にプッシュし、前記ファン２５の作用により設備外に吹き出す。
【００１８】
下記に、図１−４と上記に記述した本出願の便利に固定できる自動車飾り用台座の具体的な構成を参考し、その使用方法を詳しく紹介する：
【００１９】
使用するとき、底部に固定盤が固定的に設置される飾り物を固定チャンバ４９の中に置き、飾り物を下に押し固定ブロック４６を連動し下に移動させ、このときに第二モータ１６が起動され第一歯車１５、第二歯車１４、第三傘歯車４２、第二傘歯車４４及び第一カム４８を回転駆動させ、第一カム４８が半周に回転し飾り物の底部の固定盤を引っかかり、このときに弧形ロックバー５１を自動車のセンタコンソールの中間にある二つのエアーアウトレットの中に置き、第一モータ６０が起動されねじボルト３８を回転連動させ、これによりスライドブロック４１を連動し下に移動させ、このとき第一歯車１６と第三歯車３０とが噛合し、同時にねじボルト３８が回転し第一傘歯車３２、第四傘歯車３４、ウォーム３６及びウォームホイール５５を駆動し回転させ、これによりヒンジ連結バー５６を移動連動させ、第二スライドバー５７を連動し液圧ブロック５４を押圧し、液圧ブロック５４が弧形ロックバー５１をプッシュし向かい合って回転させ、設備を二つのエアーアウトレットの間にロックし、第二モータ１６が起動され第一歯車１５、第三歯車３０、第二カム２７及びファン２５を回転連動させ、第二カム２７が回転し第三スライドバー２２を連動し上下に移動させ、ピストン１９を連動し吸水タンポン１７を絞り、これにより液体保存チャンバ２８の中にある液体をファンチャンバ２６の中にプッシュし、ファン２５の作用により設備外に吹き出す。
【００２０】
上記の詳細な分析から分かることは：本発明の設備が同一の動力源を利用し飾り物の固定を実現し、同時に当該動力源を利用し空気の加湿を実現し、設備が当該台座を利用し動力を自動的にロックし上記動力切換を実現し、設備の使用がより便利になる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020172239.tif 000003
【図２】
2020172239.tif 000004
【図３】
2020172239.tif 000005
【図４】
2020172239.tif 000006
【手続補正書】
【提出日】令和1年6月5日(2019.6.5)
【手続補正１】
【補正対象書類名】特許請求の範囲
【補正対象項目名】全文
【補正方法】変更
【補正の内容】
【特許請求の範囲】
【請求項１】
本体と前記本体の中に設置される固定チャンバを含み、前記固定チャンバの中には固定装置が設置され、前記固定チャンバの下方には切換チャンバが設置され、前記切換チャンバの左右端壁の中には第一伝動チャンバが対称的に設置され、前記切換チャンバの左端壁の中にはスライドチャンバが設置され、前記スライドチャンバの下方には第二伝動チャンバが設置され、前記スライドチャンバの中にはスライドブロックがスライドできるように設置され、前記スライドブロックの中には上下に貫通するねじ穴が設置され、前記ねじ穴の中にはねじボルトがネジ山により連結され、前記ねじボルトの頂部末端と前記スライドチャンバの頂壁の中に固定的に設置される第一モータとが動力が伝達できるように連結され、前記ねじボルトの底部末端が前記第二伝動チャンバの中に插入され、また前記ねじボルトの底部末端には第一傘歯車が固定的に設置され、前記スライドブロックの右側端壁の中には第二モータが固定的に設置され、前記第二モータの出力軸の右に伸びている末端には第一歯車が固定的に設置され、前記第二伝動チャンバの左側端壁の中にはロックチャンバが設置され、前記ロックチャンバの中にはロック装置が設置され、前記切換チャンバの右側端壁の中にはファンチャンバが設置され、前記ファンチャンバの中には加湿装置が設置され、前記ファンチャンバの左側端壁の中には外部を連通するエアーインレットが設置され、前記ファンチャンバの右側端壁の中には複数の組の排気穴が設置され、前記ファンチャンバの左側端壁の中にはカムチャンバが設置され、前記カムチャンバの頂壁の中にはピストンチャンバが設置され、前記ピストンチャンバの左側端壁の中には液体保存チャンバが設置され、
前記固定装置は前記固定チャンバの頂壁の中に設置される固定穴を含み、前記固定チャンバの底壁の中には上方に開口した第一スライド穴が設置され、前記第一スライド穴の中には第一スライドバーがスライドできるように設置され、前記第一スライドバーと前記第一スライド穴の端壁との間には第一リセット装置が弾性的に設置され、前記第一スライドバーの頂部末端には固定ブロックが固定的に設置され、前記固定チャンバと前記第一伝動チャンバとの間には第一回転軸が回転できるように設置され、前記固定チャンバの中にある前記第一回転軸の末端には第一カムが固定的に設置され、前記第一伝動チャンバの中にある前記第一回転軸の末端には第二傘歯車が固定的に設置され、二つの前記第一伝動チャンバの間には前記切換チャンバを貫通する第二回転軸が回転できるように設置され、前記第一伝動チャンバの中にある前記第二回転軸の末端には第二傘歯車と噛合する第三傘歯車が固定的に設置され、前記切換チャンバの中にある前記第二回転軸の外表面には前記第一歯車と噛合する第二歯車が固定的に設置され、前記第一カムが半周に回転し飾り物の底部の固定盤を引っかからせ、
前記ロック装置は前記ロックチャンバと前記第二伝動チャンバとの間に回転できるように設置されるウォームを含み、前記第二伝動チャンバの中にある前記ウォームの末端には前記第一傘歯車と噛合する第四傘歯車が固定的に設置され、前記ウォームの前後両側には前記ウォームと噛合するウォームホイールが回転できるように設置され、前記ウォームホイールの頂壁にはヒンジ連結バーがヒンジにより連結され、前記ロックチャンバの前後端壁の中には液圧チャンバが対称的に設置され、前記液圧チャンバの中には液圧ブロックが設置され、前記液圧チャンバと前記ロックチャンバとの間には第二スライド穴が連通設置され、前記第二スライド穴の中には前記液圧ブロックと固定的に連結される第二スライドバーがスライドできるように設置され、前記第二スライドバーの末端と前記ヒンジ連結バーの末端とがヒンジにより連結され、前記液圧チャンバの端壁の中には外部を連通する弧形溝が設置され、前記弧形溝の中には弧形ロックバーがスライドできるように設置され、前記液圧ブロックが移動し前記弧形ロックバーをプッシュし向かい合って回転させ設備を二つのエアーアウトレットの間にロックし、
前記加湿装置は前記ファンチャンバと前記切換チャンバとの間に回転できるように設置される前記カムチャンバを貫通する第三回転軸を含み、前記切換チャンバの中にある前記第三回転軸の末端には第三歯車が固定的に設置され、前記ファンチャンバの中にある前記第三回転軸の末端にはファンが固定的に設置され、前記カムチャンバの中にある前記第三回転軸の外表面には第二カムが固定的に設置され、前記カムチャンバと前記ピストンチャンバとの間には第三スライド穴が連通設置され、前記第三スライド穴の中には前記ピストンチャンバの中にスライドできるように設置されるピストンと固定的に連結される第三スライドバーがスライドできるように設置され、前記第三スライドバーと前記第三スライド穴の端壁との間には左右に対称的な第二リセット装置が弾性的に設置され、前記ファンチャンバと前記液体保存チャンバとの間には前記ピストンチャンバを貫通する吸水タンポンが設置され、前記第二カムが回転し前記第三スライドバーを連動し上下に移動させ前記ピストンを連動し前記吸水タンポンを押圧し、これにより前記液体保存チャンバの中にある液体を前記ファンチャンバの中にプッシュし、前記ファンの作用により設備外に吹き出すことを特徴とする自動車飾り用台座。
【手続補正２】
【補正対象書類名】明細書
【補正対象項目名】全文
【補正方法】変更
【補正の内容】
【発明の詳細な説明】
【技術分野】
【０００１】
本発明は自動車飾り分野を取り上げて、具体的には自動車飾り用台座である。
【背景技術】
【０００２】
長時間車内にいるため、人々は自動車の表面と車内の美観を高めるため、いつも付属品を増加するが、伝統的な自動車飾りはしっかり取り付けられていないと車内にいる人を傷つけやすく、普通の自動車の中に長時間の加熱により空気が乾燥になりやすいため、便利に固定されると同時に加湿機構を持つ車両用飾り台座が必要となり、これにより上記の問題を解決できる。
【先行技術文献】
【特許文献】
【０００３】
【特許文献１】中国特許出願公開第１０７６９６７７４号明細書
【発明の概要】
【発明が解決しようとする課題】
【０００４】
本発明の目的は自動車飾り用台座を提供し、上記の現在の技術中の問題を解決し、設備の実用性を高めるのである。
【課題を解決するための手段】
【０００５】
本発明の自動車飾り用台座は、本体と前記本体の中に設置される固定チャンバを含み、前記固定チャンバの中には固定装置が設置され、前記固定チャンバの下方には切換チャンバが設置され、前記切換チャンバの左右端壁の中には第一伝動チャンバが対称的に設置され、前記切換チャンバの左端壁の中にはスライドチャンバが設置され、前記スライドチャンバの下方には第二伝動チャンバが設置され、前記スライドチャンバの中にはスライドブロックがスライドできるように設置され、前記スライドブロックの中には上下に貫通するねじ穴が設置され、前記ねじ穴の中にはねじボルトがネジ山により連結され、前記ねじボルトの頂部末端と前記スライドチャンバの頂壁の中に固定的に設置される第一モータとが動力が伝達できるように連結され、前記ねじボルトの底部末端が前記第二伝動チャンバの中に插入され、また前記ねじボルトの底部末端には第一傘歯車が固定的に設置され、前記スライドブロックの右側端壁の中には第二モータが固定的に設置され、前記第二モータの出力軸の右に伸びている末端には第一歯車が固定的に設置され、前記第二伝動チャンバの左側端壁の中にはロックチャンバが設置され、前記ロックチャンバの中にはロック装置が設置され、前記切換チャンバの右側端壁の中にはファンチャンバが設置され、前記ファンチャンバの中には加湿装置が設置され、前記ファンチャンバの左側端壁の中には外部を連通するエアーインレットが設置され、前記ファンチャンバの右側端壁の中には複数の組の排気穴が設置され、前記ファンチャンバの左側端壁の中にはカムチャンバが設置され、前記カムチャンバの頂壁の中にはピストンチャンバが設置され、前記ピストンチャンバの左側端壁の中には液体保存チャンバが設置されている。
【０００６】
優選的には、前記固定装置は前記固定チャンバの頂壁の中に設置される固定穴を含み、前記固定チャンバの底壁の中には上方に開口した第一スライド穴が設置され、前記第一スライド穴の中には第一スライドバーがスライドできるように設置され、前記第一スライドバーと前記第一スライド穴の端壁との間には第一リセット装置が弾性的に設置され、前記第一スライドバーの頂部末端には固定ブロックが固定的に設置され、前記固定チャンバと前記第一伝動チャンバとの間には第一回転軸が回転できるように設置され、前記固定チャンバの中にある前記第一回転軸の末端には第一カムが固定的に設置され、前記第一伝動チャンバの中にある前記第一回転軸の末端には第二傘歯車が固定的に設置され、二つの前記第一伝動チャンバの間には前記切換チャンバを貫通する第二回転軸が回転できるように設置され、前記第一伝動チャンバの中にある前記第二回転軸の末端には第二傘歯車と噛合する第三傘歯車が固定的に設置され、前記切換チャンバの中にある前記第二回転軸の外表面には前記第一歯車と噛合する第二歯車が固定的に設置され、前記第一カムが半周に回転し飾り物の底部の固定盤を引っかかる。
【０００７】
優選的には、前記ロック装置は前記ロックチャンバと前記第二伝動チャンバとの間に回転できるように設置されるウォームを含み、前記第二伝動チャンバの中にある前記ウォームの末端には前記第一傘歯車と噛合する第四傘歯車が固定的に設置され、前記ウォームの前後両側には前記ウォームと噛合するウォームホイールが回転できるように設置され、前記ウォームホイールの頂壁にはヒンジ連結バーがヒンジにより連結され、前記ロックチャンバの前後端壁の中には液圧チャンバが対称的に設置され、前記液圧チャンバの中には液圧ブロックが設置され、前記液圧チャンバと前記ロックチャンバとの間には第二スライド穴が連通設置され、前記第二スライド穴の中には前記液圧ブロックと固定的に連結される第二スライドバーがスライドできるように設置され、前記第二スライドバーの末端と前記ヒンジ連結バーの末端とがヒンジにより連結され、前記液圧チャンバの端壁の中には外部を連通する弧形溝が設置され、前記弧形溝の中には弧形ロックバーがスライドできるように設置され、前記液圧ブロックが移動し前記弧形ロックバーをプッシュし向かい合って回転させ設備を二つのエアーアウトレットの間にロックする。
【０００８】
優選的には、前記加湿装置は前記ファンチャンバと前記切換チャンバとの間に回転できるように設置される前記カムチャンバを貫通する第三回転軸を含み、前記切換チャンバの中にある前記第三回転軸の末端には第三歯車が固定的に設置され、前記ファンチャンバの中にある前記第三回転軸の末端にはファンが固定的に設置され、前記カムチャンバの中にある前記第三回転軸の外表面には第二カムが固定的に設置され、前記カムチャンバと前記ピストンチャンバとの間には第三スライド穴が連通設置され、前記第三スライド穴の中には前記ピストンチャンバの中にスライドできるように設置されるピストンと固定的に連結される第三スライドバーがスライドできるように設置され、前記第三スライドバーと前記第三スライド穴の端壁との間には左右に対称的な第二リセット装置が弾性的に設置され、前記ファンチャンバと前記液体保存チャンバとの間には前記ピストンチャンバを貫通する吸水タンポンが設置され、前記第二カムが回転し前記第三スライドバーを連動し上下に移動させ前記ピストンを連動し前記吸水タンポンを押圧し、これにより前記液体保存チャンバの中にある液体を前記ファンチャンバの中にプッシュし、前記ファンの作用により設備外に吹き出す。
【発明の効果】
【０００９】
本発明の有益的な効果は：本発明の設備が同一の動力源を利用し飾り物の固定を実現し、同時に当該動力源を利用し空気の加湿を実現し、設備が当該台座を利用し動力を自動的にロックし上記動力切換を実現し、設備の使用がより便利になる。
【図面の簡単な説明】
【００１０】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１１】
【図１】図１は本発明の自動車飾り用台座の全体構造概略図
【図２】図２は図１のＡ−Ａの構造概略図
【図３】図３は図１のＢの拡大構造概略図
【図４】図４は図１のＣ−Ｃの構造概略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
下記に図１−４をあわせて本発明について詳しく説明し、便利に説明するために、下記の方向を以下のように規定する：以下に述べる上下左右前後の方向と図１の自身投影関係の上下左右前後の方向とが一致である。
【００１４】
図１−４に示すように、本発明の自動車飾り用台座は、本体１０と前記本体１０の中に設置される固定チャンバ４９を含み、前記固定チャンバ４９の中には固定装置２００が設置され、前記固定チャンバ４９の下方には切換チャンバ３１が設置され、前記切換チャンバ３１の左右端壁の中には第一伝動チャンバ４５が対称的に設置され、前記切換チャンバ３１の左端壁の中にはスライドチャンバ３９が設置され、前記スライドチャンバ３９の下方には第二伝動チャンバ３３が設置され、前記スライドチャンバ３９の中にはスライドブロック４１がスライドできるように設置され、前記スライドブロック４１の中には上下に貫通するねじ穴４０が設置され、前記ねじ穴４０の中にはねじボルト３８がネジ山により連結され、前記ねじボルト３８の頂部末端と前記スライドチャンバ３９の頂壁の中に固定的に設置される第一モータ６０とが動力が伝達できるように連結され、前記ねじボルト３８の底部末端が前記第二伝動チャンバ３３の中に插入され、また前記ねじボルト３８の底部末端には第一傘歯車３２が固定的に設置され、前記スライドブロック４１の右側端壁の中には第二モータ１６が固定的に設置され、前記第二モータ１６の出力軸の右に伸びている末端には第一歯車１５が固定的に設置され、前記第二伝動チャンバ３３の左側端壁の中にはロックチャンバ３７が設置され、前記ロックチャンバ３７の中にはロック装置３００が設置され、前記切換チャンバ３１の右側端壁の中にはファンチャンバ２６が設置され、前記ファンチャンバ２６の中には加湿装置４００が設置され、前記ファンチャンバ２６の左側端壁の中には外部を連通するエアーインレット３５が設置され、前記ファンチャンバ２６の右側端壁の中には複数の組の排気穴２３が設置され、前記ファンチャンバ２６の左側端壁の中にはカムチャンバ２４が設置され、前記カムチャンバ２４の頂壁の中にはピストンチャンバ１８が設置され、前記ピストンチャンバ１８の左側端壁の中には液体保存チャンバ２８が設置されている。
【００１５】
有益的には、前記固定装置２００は前記固定チャンバ４９の頂壁の中に設置される固定穴５０を含み、前記固定チャンバ４９の底壁の中には上方に開口した第一スライド穴１３が設置され、前記第一スライド穴１３の中には第一スライドバー１１がスライドできるように設置され、前記第一スライドバー１１と前記第一スライド穴１３の端壁との間には第一リセット装置１２が弾性的に設置され、前記第一スライドバー１１の頂部末端には固定ブロック４６が固定的に設置され、前記固定チャンバ４９と前記第一伝動チャンバ４５との間には第一回転軸４７が回転できるように設置され、前記固定チャンバ４９の中にある前記第一回転軸４７の末端には第一カム４８が固定的に設置され、前記第一伝動チャンバ４５の中にある前記第一回転軸４７の末端には第二傘歯車４４が固定的に設置され、二つの前記第一伝動チャンバ４５の間には前記切換チャンバ３１を貫通する第二回転軸４３が回転できるように設置され、前記第一伝動チャンバ４５の中にある前記第二回転軸４３の末端には第二傘歯車４４と噛合する第三傘歯車４２が固定的に設置され、前記切換チャンバ３１の中にある前記第二回転軸４３の外表面には前記第一歯車１５と噛合する第二歯車１４が固定的に設置され、前記第一カム４８が半周に回転し飾り物の底部の固定盤を引っかかる。
【００１６】
有益的には、前記ロック装置３００は前記ロックチャンバ３７と前記第二伝動チャンバ３３との間に回転できるように設置されるウォーム３６を含み、前記第二伝動チャンバ３３の中にある前記ウォーム３６の末端には前記第一傘歯車３２と噛合する第四傘歯車３４が固定的に設置され、前記ウォーム３６の前後両側には前記ウォーム３６と噛合するウォームホイール５５が回転できるように設置され、前記ウォームホイール５５の頂壁にはヒンジ連結バー５６がヒンジにより連結され、前記ロックチャンバ３７の前後端壁の中には液圧チャンバ５３が対称的に設置され、前記液圧チャンバ５３の中には液圧ブロック５４が設置され、前記液圧チャンバ５３と前記ロックチャンバ３７との間には第二スライド穴５８が連通設置され、前記第二スライド穴５８の中には前記液圧ブロック５４と固定的に連結される第二スライドバー５７がスライドできるように設置され、前記第二スライドバー５７の末端と前記ヒンジ連結バー５６の末端とがヒンジにより連結され、前記液圧チャンバ５３の端壁の中には外部を連通する弧形溝５２が設置され、前記弧形溝５２の中には弧形ロックバー５１がスライドできるように設置され、前記液圧ブロック５４が移動し前記弧形ロックバー５１をプッシュし向かい合って回転させ設備を二つのエアーアウトレットの間にロックする。
【００１７】
有益的には、前記加湿装置４００は前記ファンチャンバ２６と前記切換チャンバ３１との間に回転できるように設置される前記カムチャンバ２４を貫通する第三回転軸２９を含み、前記切換チャンバ３１の中にある前記第三回転軸２９の末端には第三歯車３０が固定的に設置され、前記ファンチャンバ２６の中にある前記第三回転軸２９の末端にはファン２５が固定的に設置され、前記カムチャンバ２４の中にある前記第三回転軸２９の外表面には第二カム２７が固定的に設置され、前記カムチャンバ２４と前記ピストンチャンバ１８との間には第三スライド穴２１が連通設置され、前記第三スライド穴２１の中には前記ピストンチャンバ１８の中にスライドできるように設置されるピストン１９と固定的に連結される第三スライドバー２２がスライドできるように設置され、前記第三スライドバー２２と前記第三スライド穴２１の端壁との間には左右に対称的な第二リセット装置２０が弾性的に設置され、前記ファンチャンバ２６と前記液体保存チャンバ２８との間には前記ピストンチャンバ１８を貫通する吸水タンポン１７が設置され、前記第二カム２７が回転し前記第三スライドバー２２を連動し上下に移動させ前記ピストン１９を連動し前記吸水タンポン１７を押圧し、これにより前記液体保存チャンバ２８の中にある液体を前記ファンチャンバ２６の中にプッシュし、前記ファン２５の作用により設備外に吹き出す。
【００１８】
下記に、図１−４と上記に記述した本出願の自動車飾り用台座の具体的な構成を参考し、その使用方法を詳しく紹介する：
【００１９】
使用するとき、底部に固定盤が固定的に設置される飾り物を固定チャンバ４９の中に置き、飾り物を下に押し固定ブロック４６を連動し下に移動させ、このときに第二モータ１６が起動され第一歯車１５、第二歯車１４、第三傘歯車４２、第二傘歯車４４及び第一カム４８を回転駆動させ、第一カム４８が半周に回転し飾り物の底部の固定盤を引っかかり、このときに弧形ロックバー５１を自動車のセンタコンソールの中間にある二つのエアーアウトレットの中に置き、第一モータ６０が起動されねじボルト３８を回転連動させ、これによりスライドブロック４１を連動し下に移動させ、このとき第一歯車１６と第三歯車３０とが噛合し、同時にねじボルト３８が回転し第一傘歯車３２、第四傘歯車３４、ウォーム３６及びウォームホイール５５を駆動し回転させ、これによりヒンジ連結バー５６を移動連動させ、第二スライドバー５７を連動し液圧ブロック５４を押圧し、液圧ブロック５４が弧形ロックバー５１をプッシュし向かい合って回転させ、設備を二つのエアーアウトレットの間にロックし、第二モータ１６が起動され第一歯車１５、第三歯車３０、第二カム２７及びファン２５を回転連動させ、第二カム２７が回転し第三スライドバー２２を連動し上下に移動させ、ピストン１９を連動し吸水タンポン１７を絞り、これにより液体保存チャンバ２８の中にある液体をファンチャンバ２６の中にプッシュし、ファン２５の作用により設備外に吹き出す。
【００２０】
上記の詳細な分析から分かることは：本発明の設備が同一の動力源を利用し飾り物の固定を実現し、同時に当該動力源を利用し空気の加湿を実現し、設備が当該台座を利用し動力を自動的にロックし上記動力切換を実現し、設備の使用がより便利になる。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。